(57)【要約】  内側アーム（１２）とこの内側アームが摺動自在に嵌合された外側アーム（１４）とを含むステー本体（１６）の内外のアームを所定の重合位置でロックするため、内側アームに枢支され外側アームのロック孔（２２）に係入するロック係入部（２４）を有するロック部材（２６）を備え、ロック部材は、伸縮アーム（１０）の伸長状態でロック係入部がロック孔に係入するように付勢され、ロック孔は、ロック係入部がアーム伸縮方向に変位することができるような寸法に設定され、ロック係入部は、ロック孔の縁（２２Ｅ１）に係止するように付勢すべきフック（２４Ｆ）を有し、このフックは、ロック解放時に、内側アームを変位してロック孔の縁から外される。この伸縮ステー（１０）は、フック（２４Ｆ）がロック孔（２２）の縁（２２ＥＩ）に係止しているため、ロック部材（２６）のロック状態が不本意に解除するのが有効に防止される。【特許請求の範囲】
【請求項１】
内側アーム（１２）と前記内側アームが摺動自在に嵌合された外側アーム（１４）とを含むステー本体（１６）と前記ステー本体の内外のアームを所定の重合位置でロックするロック手段（２０）とを備え、前記ロック手段は、前記内側アームと外側アームのいずれか一方のアームに支持され他方のアームのロック孔（２２）に係入するロック係入部（２４）を有するロック部材（２６）から成り、前記ロック部材は、前記内外のアームが伸長した所定位置で前記ロック係入部が前記ロック孔に整合した時に前記ロック係入部が前記ロック孔に係入するように付勢され、前記ロック孔は、前記ロック部材のロック係入部がアーム伸縮方向に変位することができるような寸法に設定され、前記ロック係入部は、前記ロック孔の縁に係止することができるフック（２４Ｆ）を有することを特徴とする伸縮ステー。
【請求項２】
請求項１に記載の伸縮ステーであって、前記ロック部材のロック係入部のフックは、前記ロック孔の伸縮方向の一方の縁にのみ係止するように設けられていることを特徴とする伸縮ステー。
【請求項３】
請求項１に記載の伸縮ステーであって、前記ロック部材のロック係入部のフックは、前記ロック係入部のロック孔内の位置に応じて前記ロック孔の伸縮方向の両方の縁のいずれかに別個に係止することができるように前記ロック係入部の両側に設けられていることを特徴とする伸縮ステー。
【請求項４】
請求項１乃至３のいずれかに記載の伸縮ステーであって、前記ロック部材は、前記内外いずれかのアームの側板部に枢軸（２６Ｓ）で枢支され、前記フックは、前記枢軸に巻き付けられて一端が前記ロック部材に係止され、他端が前記アームに係止されたばね（２８）によって前記ロック孔の縁に係止されるように付勢されていることを特徴とする伸縮ステー。
【請求項５】
請求項１乃至４のいずれかに記載の伸縮ステーであって、前記ロック部材のロック係入部のフックは、前記伸縮ステーの使用状態で前記内外のアームの伸縮方向に働く重力によって前記ロック孔の縁に係止するように付勢されるものであることを特徴とする伸縮ステー。
【請求項６】
請求項１乃至４のいずれかに記載の伸縮ステーであって、前記ロック部材のロック係入部のフックは、前記内外のアームの伸縮方向に働くばねによって前記ロック孔の縁に係止するように付勢されるものであることを特徴とする伸縮ステー。
【発明の詳細な説明】
【技術分野】
【０００１】
本発明は、筐体の枢動式蓋の如き種々の揺動部材を所定の開放位置で支えるのに用いられる伸縮ステーに関し、特に相互に摺動自在に嵌合された内外のアームを所定伸縮位置でロックするロック部材のロック状態を改良した伸縮ステーに関するものである。
【背景技術】
【０００２】
この種の伸縮ステーは、一般に、内側アーム（第１のアーム）とこの内側アームが摺動自在に嵌合された外側アーム（第２のアーム）とを含むステー本体と、このステー本体の内外のアームを所定の重合位置でロックするロック手段とを備えており、このロック手段は、内側アームに枢支され外側アームのロック孔に係入するロック係入部を有するロック部材から成っており、このロック部材は、内外のアームが伸長した所定位置でロック係入部が外側アームのロック孔に整合した時にロック係入部が前記ロック孔に係入するようにばね付勢されている（特許文献１参照）。【０００３】
ロック部材は、内外のアームのロック状態で、ロック係入部とは反対側に外側アームの開口に係入すべきロック解除操作部を有し、ロックを解除すべき時には、ロック解除操作部を指で押し込んでロック係入部をロック孔から引き込んで内外のアームを収縮方向に動くことができるようにしている。【０００４】
しかし、このような構造では、例えば、伸縮ステーが筐体と蓋との開放状態を保持するのに用いられるとすると、筐体に物を出し入れする際に、誤ってロック部材のロック解除操作部を押し込んで伸縮ステーのロックを不本意に解除する虞があった。【０００５】
【特許文献１】特開平４−１２８４８４号公報
【０００６】
本発明の目的は、ロック部材のロック状態が不本意に解除するのを有効に防止することができる伸縮ステーを提供することにある。
【発明の開示】
【０００７】
本発明によれば、内側アームとこの内側アームが摺動自在に嵌合された外側アームとを含むステー本体とこのステー本体の内外のアームを所定の重合位置でロックするロック手段とを備え、このロック手段は、内側アームと外側アームのいずれか一方のアームに支持され他方のアームのロック孔に係入するロック係入部を有するロック部材から成り、ロック部材は、内外のアームが伸長した所定位置でロック係入部がロック孔に整合した時にロック係入部がロック孔に係入するように付勢され、ロック孔は、ロック部材のロック係入部がアーム伸縮方向に変位することができるような寸法に設定され、ロック係入部は、このロック孔の縁に係止することができるフックを有することを特徴とする伸縮ステーが提供される。
【０００８】
本発明の伸縮ステーにおいて、ロック部材のロック係入部のフックは、ロック孔の伸縮方向の一方の縁にのみ係止するように設けられていてもよいし、ロック孔の伸縮方向の両方の縁に係止するように設けられていてもよい。また、ロック孔の寸法は、ロック係入部のフックがロック孔の一方に又は両方に係止するにしても、ロック係入部のフックがロック孔の縁から外れることができる程度の寸法である。
【０００９】
ロック部材は、内外いずれかのアームの側板部に枢軸で枢支され、フックは、この枢軸に巻き付けられて一端がロック部材に係止され、他端が上記アームに係止されたばねによってロック孔の縁に係止されるように付勢されているのが好ましい。
【００１０】
ロック部材のロック係入部のフックは、伸縮ステーの使用状態で内外のアームの伸縮方向に働く重力によってロック孔の縁に係止するように付勢されるものであってもよいし、内外のアームの伸縮方向に働くばねによってロック孔の縁に係止するように付勢されるものであってもよい。
【００１１】
このように、ロック孔は、ロック部材のロック係入部がアーム伸縮方向に変位することができるような寸法に設定され、ロック係入部は、ロック孔の縁に係止するように付勢されるべきフックを有すると、ロック係入部を指で引っ込めようとしてもロック部材のロックを外すことができず、ロック係入部のフックがロック孔の縁から外れるように内外のアームを伸縮方向に変位した後にのみ、ロック係入部を指で押し込むことができ、従って伸縮ステーを不本意にロック解除することがなく、伸縮ステーのロックを確実に維持することができる。
【図面の簡単な説明】
【００１２】
【図１】本発明に係わる伸縮ステーの異なる使用状態を示す概略側面図である。
【図２】本発明の１つの実施の形態による伸縮ステーの正面図である。
【図３】図２の伸縮ステーの背面面である。
【図４】図２の伸縮ステーの上面図である。
【図５】図２の伸縮ステーの中央縦断面図である。
【図６】図２の伸縮ステーの拡大側面図である。
【図７】図２の伸縮ステーのＶＩＩ−ＶＩＩ線拡大断面図である。
【図８】図２の伸縮ステーのロック状態及びその解放操作の状態を示す垂直断面図である。
【図９】図８とほぼ同様であるが、本発明の他の形態による伸縮ステーのロック状態及びその解放操作の状態を示す垂直断面図である。
【図１０】図８及び図９とほぼ同様であるが、本発明の更に他の形態による伸縮ステーのロック状態及びその解放操作の状態を示す垂直断面図である。
【図１１】本発明の他の実施の形態による伸縮ステーの正面図である。
【図１２】図１１の伸縮ステーの中央縦断面図である。
【図１３】図１１の伸縮ステーの拡大側面図である。
【図１４】図１１の伸縮ステーのＸＩＶ−ＸＩＶ線拡大断面図である。
【発明を実施するための最良の形態】
【００１３】
本発明の実施の形態を図面を参照して詳細に述べると、図１は、本発明の伸縮ステー１０の使用状態の幾つかの例を示しており、いずれも筐体１とこの筐体１にヒンジ３で枢支された蓋２との間に設けられ、蓋２を開いた時に伸長して蓋２を開いた状態に維持するのに伸縮ステー１０が用いられている。図１（Ａ）は、蓋２が筐体１の正面開口を開閉するように取り付けられて伸縮ステー１０が蓋２を上縁の枢支部を中心に上向きに開いた状態を維持するのに用いられているのを示し、図１（Ｂ）は、蓋２が筐体１の上面開口を開閉するように取り付けられて伸縮ステー１０が蓋２を後方の枢支部を中心に上向きに開いた状態を維持するのに用いられているのを示し、図１（Ｃ）は、蓋２が筐体１の正面開口を開閉するように取り付けられて伸縮ステー１０が蓋２を下縁の枢支部を中心に下向きに開いた状態を維持するのに用いられているのを示す。【００１４】
本発明の１つの実施の形態による伸縮ステー１０が図２に示されている。この伸縮ステー１０は、内側アーム１２とこの内側アーム１２が摺動自在に嵌合された外側アーム１４とを含むステー本体１６と、このステー本体１６の内外のアーム１２、１４を所定の重合位置でロックするロック手段２０とを備えている。内外のアーム１２、１４は、ステンレスその他の適宜の金属材料を板金加工して作られるが、樹脂その他の材料から作られていてもよい。この伸縮アーム１０は、図１（Ａ）又は（Ｂ）の状態で使用するのに適している。【００１５】
内外のアーム１２、１４は、その反対側の端部に筐体１及び蓋２に枢動自在に取り付けるためにかしめ着されたブッシュ状の取付座１２Ｍ、１４Ｍを有し、これらのアーム１２、１４は、取付座１２Ｍ、１４Ｍを貫通する枢軸１Ｐ、２Ｐ（図１参照）によって筐体１及び蓋２に支持される。【００１６】
図示の例では、内側アーム１２は、図６乃至図８から解るように、側板部１２ＲＳとその上下から水平に延びる上下板部１２Ｕ、１２Ｌとから成る断面略横倒Ｕ字形の形態を有し、後に述べるロック部材を取り付ける位置では上板部が符号１２ＵＮで示すように取り除かれている（図７参照）。また、外側アーム１４は、同様に、図６乃至図８から解かるように、後側板部１４ＲＳとその上下から水平に延びる連続する上下板部１４Ｕ、１４Ｌとこれらの上下板部の開口側の縁から下向き及び上向きに相互に間隔をあけるように垂直に延びる前側板部１４ＦＳＵ、１４ＦＳＬとから断面略Ｃ字形の形態を有する。【００１７】
ロック手段２０は、内側アーム１２の側板部１２ＲＳに枢軸２６Ｓによって枢支され外側アーム１４の上板部１４Ｕに設けられたロック孔２２に係入するロック係入部２４を有する略Ｌ字形のレバー状ロック部材２６から成っている。このロック部材２６は、内外のアーム１２、１４が伸長した所定位置でロック係入部２４が外側アーム１４のロック孔２２に整合した時にロック係入部２４がロック孔２２に係入するようにばね２８によって付勢されている。図示の形態では、ばね２８は、枢軸２６Ｓに巻きつけられた巻きばねから成っており、その一端は、ロック部材２６に設けられた係止孔２６Ｈに係止され(図８参照)、他端は、内側アーム１２の下板部１２Ｌの内面に係止されている（図７参照）。なお、ロック係入部２４は、内側アーム１２の上板部１２Ｕが取り除かれた部分１２Ｎに設けられているので、ロック係入部２４がロック孔２２に係入するのに上板部１２Ｕが支障となることはない。【００１８】
特に、図８から詳細に解るように、ロック孔２２は、ロック部材２６のロック係入部２４がアーム伸縮方向（図８（Ｂ）の矢印Ａ方向及び図８（Ｄ）の矢印Ｂ方向）に変位することができるような寸法に設定され、ロック係入部２４は、ロック孔２２の縁２２Ｅ１に係止することができるフック２４Ｆを有する。なお、このフック２４Ｆは、使用状態に関連して後に述べるように、伸縮ステーの使用状態で、内外のアームの伸縮方向に働く重力によってロック孔の縁に係止するように付勢されるが、内外のアームの伸縮方向に働くばねによってロック孔の縁に係止するように付勢されるものであってもよい。【００１９】
図５乃至図８の形態では、ロック部材２６のロック係入部２４のフック２４Ｆは、ロック孔２２の伸縮方向の一方の縁（収縮方向の縁）２２Ｅ１にのみ係止するように設けられており、ロック孔２２の寸法（伸縮方向の寸法）は、ロック係入部２４のフック２４Ｆがロック孔２２の縁２２Ｅ１から外れることができる程度の寸法である（図８（Ｂ）（Ｃ）参照）。【００２０】
この伸縮ステー１０の使用状態を図８を参照して詳細に述べると、この伸縮ステー１０が、例えば、図１（Ａ）に示すように、筐体１と上開き式の蓋２との間に取り付けられているとすると、蓋２を閉じている時には、伸縮ステー１０の内側アーム１２は、図８（Ｄ）に示すように、外側アーム１４に充分に入り込んで収縮された状態で蓋２と筐体１との間に位置している。なお、図１の状態では、内側アーム１２が蓋２側に取付けられ、外側アーム１４が筐体１の内側に取り付けられる。【００２１】
蓋２を上方に開くと、伸縮アーム１０は、筐体１及び蓋２に対して枢動しながら、内側アーム１２が外側アーム１４から引き出されて伸長するが、蓋２が図１（Ａ）の状態よりやや上方まで上昇すると、ロック部材２６のロック係入部２４がロック孔２２に入り込むことができるように整列するため、ばね２８の付勢でロック部材２６のロック係入部２４がロック孔２２に係入する（図８（Ｂ）参照）。この状態で、蓋２から手を離すと、蓋２は、自重で、下方に戻ろうとするので、内側アーム１２が収縮方向に変位してロック係入部２４のフック２４Ｆがロック孔２２の縁２２Ｅ１に係止する（図８（Ａ）参照）。【００２２】
このように、フック２４Ｆがロック孔２２の縁２２Ｅ１に係止していると、ロック係入部２４を内側アーム１２に押し込もうとしても、ロック係入部２４がロック孔２２から外れることができないので、伸縮アーム１０の伸長状態のロックを解放することができない。このため、筐体１に物を出し入れする際に、ロック係入部２４が誤って押されることがあっても伸長状態のロックを不本意に解放することがなく、伸縮アーム１０のロックを確実に維持することができる。【００２３】
蓋２を閉じる場合には、蓋２をやや上方に持ち上げて、内側アーム１２を一旦伸長方向に引き出し、図８（Ｂ）に示すように、ロック部材２６をロック孔２２の縁２２Ｅ１から離れる方向に変位する。この状態では、ロック係入部２４のフック２４Ｆがロック孔２２の縁２１Ｅ１から外れるので、図８（Ｃ）に示すように、ロック係入部２４を矢印Ｆ方向に指で押し込むことによってロック部材２６がロック孔２２から外れてロックが解放される。【００２４】
従って、蓋２を下方に閉じると、内側アーム１２が外側アーム１４内に引き込まれながら収縮し、蓋２が完全に閉じると、図８（Ｄ）に示す状態となる。なお、図８（Ｃ）から解るように、ロック部材２６を指で押し込んでも、ロック部材２６の一部がロック孔２２内に残っているが、フック２４Ｆが内側アーム１２の上板部１２Ｕの下方に食い込むので、内側アーム１２は、フック２４Ｆに連続するロック係入部２４の上面に案内されながら、外側アーム１４内に入り込むことができ、内側アーム１２を収縮方向に移動するのに支障となることはない。なお、伸縮ステー１０が図１（Ｂ）に示すように使用される場合も同様の方法でロックしたり、ロックを解放したりすることができる。【００２５】
本発明の他の実施の形態が図９及び図１０に示されており、図９の形態は、ロック係入部２４のフック２４Ｆが外側アーム１４のロック孔２２の伸長方向の縁２２Ｅ２に係止するように設けられていることを除いて図１乃至図８の形態と同じであり、また図１０の形態は、ロック係入部２４のフック２４Ｆ（２２Ｆ１と２２Ｆ２）が外側アーム１４のロック孔２２の収縮方向の縁２２Ｅ１と伸長方向の縁２２Ｅ２とのいずれかに係止するようにロック係入部２４の両側に設けられていることを除いて図１乃至図９の形態と同じである。同じ部分には同じ符号が付されている。【００２６】
図９の形態では、伸縮ステー１０が図１（Ｃ）に示すように、伸縮ステー１０のロック状態で伸縮ステー１０が伸長方向に付勢されている場合に利用することができ、この場合には、蓋２の下方(開く方向)への付勢で内側アーム１２が伸長方向に付勢されてロック係入部２４のフック２４Ｆがロック孔２２の縁２２Ｅ２に係止し、ロックを解放すべき時には、図１（Ｃ）の蓋２をやや上方に持ち上げて内側アーム１２を収縮方向に変位することによってロック係入部２４の指による押し込みを許してロックを外すことができる。【００２７】
図１０の形態では、伸縮ステー１０が、図１（Ａ）（Ｂ）に示すように、蓋２の開放で伸縮ステー１０に収縮方向の付勢がかかる場合と、図１（Ｃ）に示すように、蓋２の開放で伸縮ステー１０に伸長方向の付勢がかかる場合とのいずれにも利用することができる。この形態では、一方のフック２４Ｆ１又は２４Ｆ２がロック孔２２の縁２２Ｅ１又は２２Ｅ２に係止している状態から解放するために、伸長方向又は収縮方向に変位して係止を外すが、この際、他方のフック２４Ｆ２又は２４Ｆ１がロック孔２２の相応する縁２２Ｅ２又は２２Ｅ１に係止される位置よりも手前の位置（図１０（Ｂ）参照）で変位を止める必要がある。【００２８】
なお、図１（Ａ）乃至（Ｃ）では蓋２が開いた状態で蓋２が伸縮ステー１０に伸縮方向の力をかけているが、例えば、蓋２が横開きであって、伸縮ステー１０に伸縮方向の力が作用しない場合には、内外のアーム１２、１４間に伸長方向又は収縮方向の力が作用するようにばね付勢してもよいが、このばねの力は、内外のアーム１２、１４の伸縮に支障がない程度の弱い力であることが必要である。【００２９】
上記実施の形態では、外側アーム１４に１つのロック孔２２を設けて１つの伸長状態をロックするようになっているが、外側アーム１４に長手方向に間隔をあけて複数個設けて幾つかの異なる伸長状態をロックするようにしてもよいことはもちろんである。【００３０】
本発明の他の形態が図１１乃至図１４に示され、この実施の形態では、ロック部材２６が外側アーム１４の側板部１４ＲＳに枢軸２６Ｓによって枢支され、ロック孔２２が内側アーム１２の上板部１２Ｕに設けられていることを除いて図１乃至図１０の実施の形態と実質的に同じである。同じ部分には同じ符号が付されている。なお、図１２から解るように、ロック部材２６のロック係入部２４がロック孔２２の縁２２Ｅ１に係止する際に、ロック係入部２４が外側アーム１４の上板部１４Ｕによって拘束されることがないように、この上板部１４Ｕに逃げ切欠き孔１４ＵＮが設けられている。【００３１】
この実施の形態でも、内外のアーム１２、１４が伸長してロック部材２６がロック孔２２に整合すると、ばね２８の付勢によってロック係入部２４がロック孔２２に入り込み、内外のアーム１２、１４に作用する伸長方向の付勢によってフック２４Ｆがロック孔２２の縁２２Ｅ１に係止する。ロックを解放する際には、内外のアーム１２、１４を収縮方向に戻してフック２４Ｆをロック孔２２の縁２２Ｅ１から外した後、ロック係入部２４を手で押し込む。【００３２】
なお、先の実施の形態と同様に、フック２４Ｆがロック孔２２の反対側の縁２２Ｅ２に係止するようにしてもよいし、ロック係入部２４の両側に２つのフック２４Ｆを設けていずれか一方のフック２４Ｆがロック孔２２の相応する縁に係止するようにしてもよい。【００３３】
なお、上記の実施の形態では、ロック部材２６は、枢軸２６Ｓを中心に揺動するように枢支したが、両アーム１２、１４の伸縮方向とは直交する方向に変位することができるように支持してもよい。
【産業上の利用可能性】
【００３４】
本発明によれば、ロック部材のロック係入部のフックがロック孔の縁から外れるように内外のアームを伸縮方向に変位した後にのみ、ロック係入部を指で押し込むことができ、従って伸縮ステーを不本意にロック解除することがなく、伸縮ステーのロックを確実に維持することができ、産業上の利用性が向上する。
【図１】
2006137352.tif 000002
【図２】
2006137352.tif 000003
【図３】
2006137352.tif 000004
【図４】
2006137352.tif 000005
【図５】
2006137352.tif 000006
【図６】
2006137352.tif 000007
【図７】
2006137352.tif 000008
【図８】
2006137352.tif 000009
【図９】
2006137352.tif 000010
【図１０】
2006137352.tif 000011
【図１１】
2006137352.tif 000012
【図１２】
2006137352.tif 000013
【図１３】
2006137352.tif 000014
【図１４】
2006137352.tif 000015
【国際調査報告】
2006137352.tif 000016
2006137352.tif 000017
2006137352.tif 000018
2006137352.tif 000019